(57)【要約】【課題】外装カバーの組込み途中で、押しボタンの押圧部とスイッチ素子との引っ掛かりを防止すると共に、スイッチ素子と基板との剥離及び破損を確実に防止する。更に、外装カバーの組込み及び取り外しが容易にすることができる押しボタン組込み構造を提供することを目的とする。【解決手段】ケース１７にスイッチ素子１４より突出する方向に突起１７ａを設け、突起１７ａの両端に外装カバー１３の組込み方向に延びる傾斜面１７ｂ、１７ｃを設けて、外装カバー１３の組込み途中で、押しボタン１２の押圧部１２ｂがスイッチ素子１４の端面に引っ掛かりを防止すると共に、スイッチ素子１４と回路基板１５との剥離及び破損を確実に防止する。更に、外装カバー１３の組込み及び取り外しを容易にすることができる。【選択図】図１２
2015138599.tif 000002
【特許請求の範囲】
【請求項１】
外装部材（１３）に形成された開口部（１３ａ）を介して少なくとも一部を前記外装部材（１３）の外側に露出させて押圧操作する押圧部材（１２）と、該押圧部材（１２）によりオン／オフするスイッチ素子（１４）と、該スイッチ素子を固定する固定基板（１５）と、該固定基板（１５）を支持する支持部材（１７）とを備え、
前記支持部材（１７）に前記外装部材（１３）の組込み方向と前記スイッチ素子（１４）との間に前記スイッチ素子（１４）より突出する方向に突起（１７ａ）と、該突起（１７ａ）の両端に外装カバー（１３）の組込み方向に延びる傾斜面（１７ｂ、１７ｃ）を設けたことを特徴とする押しボタン組込み構造。
【発明の詳細な説明】
【技術分野】
【０００１】
本発明は、外装部材に保持された押しボタン組込み構造に関する。
【背景技術】
【０００２】
従来、この種の押しボタン組込み構造として、特許文献１に開示されたものがある。この押しボタン組込み構造は、押圧スイッチ及び回路基板を覆うように配置されたボタンが固定された背面カバーが押圧スイッチの押圧方向に対して直交する方向に組み込む構成になっている。
【先行技術文献】
【特許文献】
【０００３】
【特許文献１】特開２００６−１０００１８号公報
【発明の概要】
【発明が解決しようとする課題】
【０００４】
しかしながら、上記特許文献１に開示された構成では、背面カバー組込み途中でボタンに形成されている押圧部が押圧スイッチに引っ掛り、押圧スイッチと回路基板との剥離及び破損するという問題もあった。
【０００５】
そこで、本発明は、外装カバーの組込み途中で、押しボタンの押圧部とスイッチ素子との引っ掛かりを防止し、スイッチ素子と基板との剥離及び破損を確実に防止すると共に、外装カバー１３の組込み及び取り外しが容易にすることができる押しボタン組込み構造を提供することを目的とする。
【課題を解決するための手段】
【０００６】
上記の目的を達成するため、本発明の押しボタン組込み構造は、外装部材（１３）に形成された開口部（１３ａ）を介して少なくとも一部を前記外装部材（１３）の外側に露出させて押圧操作する押圧部材（１２）と、該押圧部材（１２）によりオン／オフするスイッチ素子（１４）と、該スイッチ素子を固定する固定基板（１５）と、該固定基板（１５）を支持する支持部材（１７）とを備え、前記支持部材（１７）に前記外装部材（１３）の組込み方向と前記スイッチ素子（１４）との間に前記スイッチ素子（１４）より突出する方向に突起（１７ａ）と、該突起（１７ａ）の両端に外装カバー（１３）の組込み方向に延びる傾斜面（１７ｂ、１７ｃ）を設けたことを特徴とする。
【発明の効果】
【０００７】
本発明によれば、ケースにスイッチ素子より突出する方向に突起を設け、突起の両端に外装カバーの組込み方向に延びる傾斜面を設けることで、外装カバーの組込み途中で、押しボタンの押圧部がスイッチ素子の端面に引っ掛かりを防止することができ、スイッチ素子と回路基板との剥離及び破損を確実に防止することができる。更に、外装カバーの組込み及び取り外しを容易にすることができる押しボタン組込み構造を提供する。
【図面の簡単な説明】
【０００８】
【図１】本発明の実施形態における電子ビューファインダーの構成を示す断面図である。
【図２】接眼部側から見た外観全体を示す斜視図である。
【図３】接眼部側から見た接眼カバー、アイカップを外した状態を示す斜視図である。
【図４】接眼部側から見た防塵ゴムを示す斜視図である。
【図５】液晶表示部側から見た防塵ゴムを示す斜視図である。
【図６】防塵ゴムの遮蔽部で光センサーを遮蔽した状態を示す斜視図である。
【図７】図６の光センサーの遮蔽状態を示す断面図である。
【図８】外装カバーに押しボタンを組み込んだ状態を示す斜視図である。
【図９】外装カバーが組み込まれた状態を示す側面図である。
【図１０】図９の状態から外装カバーを外した状態を示す側面図である。
【図１１】外装カバーの組込み方向を示す分解斜視図である。
【図１２】押しボタンの押圧部がケースの傾斜面に当接した状態を示す縦断面図である。
【図１３】外装カバー組込み後の押しボタンの押圧部の待機状態を示す縦断面図である。
【図１４】押しボタンの押圧部がケースの傾斜面に当接した状態を示す縦断面図である。
【発明を実施するための形態】
【０００９】
［実施例］
以下に、本発明の好ましい第１の実施形態を、図面を参照しながら説明する。
【００１０】
図１から図１０を参照して、電子ビューファインダーの構成について説明する。
【００１１】
図１は電子ビューファインダーの構成を示す断面図である。図２は接眼部側から見た外観全体を示す斜視図である。図３は接眼部側から見た接眼カバー、アイカップを外した状態を示す斜視図である。図４は接眼部側から見た防塵ゴムを示す斜視図である。図５は液晶表示部側から見た防塵ゴムを示す斜視図である。図６は防塵ゴムの遮蔽部で光センサーを遮蔽した状態を示す斜視図である。図７は図６の光センサーの遮蔽状態を示す断面図である。図８は外装カバーに押しボタンを組み込んだ状態を示す斜視図である。図９は外装カバーが組み込まれた状態を示す側面図である。図１０は図９の状態から外装カバーを外した状態を示す側面図である。
【００１２】
液晶表示部は図１及び図２に示すように、液晶表示パネル１、レンズユニット２、表示窓３で構成されている。
【００１３】
液晶表示パネル１とレンズユニット２は後述するケース１７に支持され、ケース１７は不図示のビスにより支持地板１１に固定されている。表示窓３は中央部に開口部４ａが形成された保持枠４に保持されている。表示窓３は、液晶表示部の表示画像を見るため透明板で構成されおり、後述する接眼カバー７の開口部７ａを塞いでいる。保持枠４は不図示の固定爪によりケース１７に固定されている。
【００１４】
液晶表示部は、液晶表示パネル１の表示画像が、レンズ系２及び表示窓３を通して拡大表示される。
【００１５】
接眼検知部は、図１及び図３に示すように、赤外線発光素子５ａ、受光素子５ｂが一体化された光センサー５、回路基板６で構成されている。
【００１６】
光センサー５は半田により回路基板６に固定され、両面テープにより保持枠４に固定されている。
【００１７】
接眼検知部は、接眼時に赤外線発光素子５ａから出射した赤外光が使用者の顔の一部で反射して受光素子５ｂで受光された場合には、使用状態と判断して液晶表示部の電源をオンする。また、受光素子５ｂが赤外光を受光しない場合には、不使用状態と判断して液晶表示部の電源をオフにする。
【００１８】
接眼部は、図１から図２に示すように、接眼カバー７、センサー窓８、アイカップ９、防塵ゴム１０で構成されている。
【００１９】
接眼カバー７は中央部に開口部７ａが形成されており不図示のビスによりケース１７に固定され、センサー窓８は光センサー５の前面を覆うように配置され、接着により接眼カバー７に固定されている。アイカップ９は接眼カバー７に固定され取り外し可能になっている。
【００２０】
防塵ゴム１０は、図４及び図５に示すように、開口部１０ａが形成された防塵部１０ｂと、仕切り部１０ｃ、開口部１０ｄ、１０ｅが形成された遮蔽部１０ｆが形成されている。
防塵部１０ｂと遮蔽部１０ｆとは結合部１０ｇにより一体化されている。
【００２１】
防塵部１０ｂは、図１に示すように、表示窓３と保持枠４との間に配置され、接眼カバー７により表示窓３が押圧されることで防塵部１０ｂがチャージされる。このチャージにより発生する弾性力を利用して表示窓３と保持枠４とを確実に密閉させている。この密着により、接眼カバー７の開口部７ａから浸入するゴミを確実に防止することができる。
【００２２】
遮蔽部１０ｆは、図１に示すように、回路基板６とセンサー窓８との間に配置され、図６及び図７に示すように、光センサー５周囲及び回路基板６を確実に保護している。この保護により、静電気による光センサー５の破壊を防止することができる。
【００２３】
また、仕切り部１０ｃは、図６及び図７に示すように、赤外光発光素子５ａと受光素子５ｂとの空間を仕切るように配置され、一方を光センサー５、他方をセンサー窓８に密着させ、更に表示窓８により仕切り部１０ｃがチャージされる。このチャージにより表示窓８と仕切り部１０ｃとの隙間を確実に塞いでいる。これにより、表示窓８と仕切り部１０ｃとの隙間を通じてセンサー窓８の乱反射による光センサー５の誤検知を防止することができる。また、開口部１０ｄは赤外光発光素子５ａを開放し、開口部１０ｅは受光素子５ｂを開放している。
【００２４】
結合部１０ｇは、図１及び図６に示すように、接眼検知部側の表示窓３の端面部を覆い更に表示窓３より接眼側に突出させ、接眼カバー７によりチャージされている。このチャージにより、表示窓３と接眼カバー７との隙間から浸入するゴミを確実に防止することができる。また、静電気による回路基板６の破壊を防止することができる。
【００２５】
押圧スイッチ検知部は、図８から図１０に示すように、押しボタン１２、外装カバー
１３、スイッチ素子１４、回路基板１５で構成されている。
【００２６】
押しボタン１２は、使用者が操作する操作部１２ａと、スイッチ素子１４をオン／オフさせる押圧部１２ａが形成され、図８に示すように、接着剤により外装カバー１３の内周面に沿うように固定されている。
【００２７】
外装カバー１３は、押しボタン１２の操作部１２ａを外装カバー１３の外側に露出させる孔１３ａが形成されており、図９に示すように、ビス１６によりケース１７に固定されている。
【００２８】
スイッチ素子１４は、半田により回路基板１５に固定され、図１０に示すように、不図示の両面テープによりケース１７に固定されている。
【００２９】
押圧スイッチ検知部は、押しボタン１２の操作部１２ａの操作に追従して、押しボタン１２の押圧部１２ｂでスイッチ素子１４が押され、液晶表示部の電源をオフ／オフにする。
【００３０】
ケース１７は、図１２から図１４に示すように、外装カバー１３の組込み方向とスイッチ素子１４との間にスイッチ素子１４より突出する方向に突起１７ａが設けられている。この突起１７ａの両端には、外装カバー１３の組込み方向に延びる傾斜面１７ｂ、１７ｃが形成されている。
【００３１】
次に、図１１から図１３を参照して、外装カバーの組込みについて説明する。
【００３２】
図１１は外装カバーの組込み方向を示す分解斜視図である。図１２は押しボタンの押圧部がケースの傾斜面に当接した状態を示す縦断面図である。図１３は外装カバー組込み後の押しボタンの押圧部の待機状態を示す縦断面図である。
【００３３】
外装カバー１３は、図１１及び図１２に示すように、押しボタン押圧方向に対して直交する方向（矢印Ａ方向）で組込みを開始する。
【００３４】
外装カバー１３組込み途中で、押しボタン１２の押圧部１２ｂは、図１２に示すように、ケース１７の傾斜面１７ｂに沿って矢印Ｂ方向にチャージされる。このチャージにより、外装カバー１３の組込み途中で、押しボタン１２の押圧部１２ｂとスイッチ素子１４とのに引っ掛かりを防止し、スイッチ素子１４と回路基板１５との剥離及び破損を防止している。
【００３５】
外装カバー１３組込み完了後は、押しボタン１２の押圧部１２ｂはケース１７の突起１７ａとの当接が無くなり、押しボタン１２の腕部１２ｃ、１２ｄの弾性力を利用して、押しボタン１２の押圧部１２ｂは、図１３に示すように、スイッチ素子１４の位置で待機する。
【００３６】
次に、図１４を参照して、外装カバーの取り外しについて説明する。
【００３７】
図１４は押しボタンの押圧部がケースの傾斜面に当接した状態を示す縦断面図である。
【００３８】
外装カバー１３は、図１４に示すように、押しボタン押圧方向に対して直交する方向（矢印Ｃ方向）で取り外しを開始する。
【００３９】
外装カバー１３の取り外し途中で、押しボタン１２の押圧部１２ｂは、図１４に示すように、ケース１７の傾斜面１７ｃに沿って矢印Ｂ方向にチャージされる。このチャージにより、外装カバー１３取り外し途中で押しボタン１２の押圧部１２ｂと突起１７ａとのに引っ掛かりを防止し、外装カバー１３の取り外し易くしている。
【００４０】
以上、説明したように、上記実施形態によれば、ケース１７にスイッチ素子１４より突出する方向に突起１７ａを設けることで、外装カバー１３の組込み途中で、押しボタン１２の押圧部１２ｂとスイッチ素子１４との引っ掛かりを防止すると共に、スイッチ素子１４と基板１５との剥離、また破損を確実に防止することができる。
【００４１】
また、ケース１７の突起１７ａの両端に傾斜面１７ｂ、１７ｃを設けることで、外装カバー１３の組込み及び取り外しが容易にできる。
【符号の説明】
【００４２】
１２…押しボタン（押圧部材）
１２ａ…操作部
１２ｂ…押圧部
１３…外装カバー（外装部材）
１４…スイッチ素子
１５…基板
１７…ケース（支持部材）
１７ａ…突起
１７ｂ,１７ｃ…傾斜面
【図１】
2015138599.tif 000003
【図２】
2015138599.tif 000004
【図３】
2015138599.tif 000005
【図４】
2015138599.tif 000006
【図５】
2015138599.tif 000007
【図６】
2015138599.tif 000008
【図７】
2015138599.tif 000009
【図８】
2015138599.tif 000010
【図９】
2015138599.tif 000011
【図１０】
2015138599.tif 000012
【図１１】
2015138599.tif 000013
【図１２】
2015138599.tif 000014
【図１３】
2015138599.tif 000015
【図１４】
2015138599.tif 000016